(57)【要約】  いくつかの実施形態は、コンピュータ機器のためのコンピュータ機器用付属品を教示する。このコンピュータ機器用付属品は、（ａ）台座であって、（１）表面上に載るように構成された台座板、および、（２）台座板に第１の角度で連結された台座後方支持部、を有する台座と、（ｂ）上側支持部材であって、（１）上板、および、（２）上板に第２の角度で連結された上側後方支持部を有する、上側支持部材と、（ｃ）台座の台座後方支持部および上側支持部材の上側後方支持部に着脱可能に連結されるように構成されたコネクタカラーと、を含む。上側支持部材は、台座板が表面上に載置され、台座の台座後方支持部および上側支持部材の上側後方支持部がコネクタカラーに連結されたときにコンピュータ機器が使用者によって操作されるように、コンピュータ機器を支持するために構成される。その他の実施形態および方法についても、本明細書において開示される。【選択図】図１
2013508819.tif 000002
【特許請求の範囲】
【請求項１】
携帯型コンピュータ機器用スタンドにおいて、
台座であって、少なくとも３つの側縁と、前記台座の前記少なくとも３つの側縁と対向し、前記台座から外に向かって延びる第１の折り返し縁を有し、前記第１の折り返し縁は、第１の切欠き部分を有する台座後方支持部を画定し、前記第１の折り返し縁は、２つ以上の台座支持縁部分と台座固定縁部分を有し、前記台座固定縁部分は、前記台座後方支持部の前記第１の切欠き部分により画定される、台座と、
上側支持部材であって、少なくとも３つの側縁と、前記上側支持部材の前記少なくとも３つの側縁と対向し、前記上側支持部材から外側に延びる第２の折り返し縁を有し、前記第２の折り返し縁は、第２の切欠き部分を有する上側後方支持部を画定し、前記第２の折り返し縁は、２つ以上の上側支持縁部分と上側固定縁部分を有し、前記上側固定縁部分は、前記上側後方支持部の前記第２の切欠き部分によって画定される、上側支持部材と、
上部と下部を有する接続カラーであって、前記接続カラーの前記上部は、前記台座の前記第１の切欠き部分に連結されるように構成され、前記接続カラーの前記下部は、前記上側支持部材の前記第２の切欠き部分に連結されるように構成され、前記接続カラーは、前記接続カラーの円周を画定する外側先端縁を有するように構成され、前記外側先端縁は、前記台座後方支持部の前記台座固定縁部分と前記上側後方支持部の前記上側固定縁部分と当接するように構成された内側固定縁部分を有し、前記外側先端縁は、前記内側固定縁部分から延び、前記第１の折り返し縁の一部と前記第２の折り返し縁の一部の周囲に位置付けられるように構成された２つ以上の外部支持縁部分をさらに有する、接続カラーと、
から構成される、携帯型コンピュータ機器用スタンド。
【請求項２】
前記上側支持部材は略平坦な環を備え、前記略平坦な環は、前記略平坦な環の中央部に環切欠き部分を有する、請求項１記載の携帯型コンピュータ機器用スタンド。
【請求項３】
前記略平坦な環は長方形である、請求項２記載の携帯型コンピュータ機器用スタンド。
【請求項４】
前記台座は、上面、および前記上面と反対の下面をさらに含み、前記台座の前記上面と前記下面が前記台座の前記少なくとも３つの側縁に隣接し、前記台座の前記下面が２つ以上の支持パッドに連結される、請求項１、２または３記載の携帯型コンピュータ機器用スタンド。
【請求項５】
前記台座後方支持部は、前記台座の前記少なくとも３つの側縁のうちの１つまたはそれ以上の縁に対して、約７０度〜約８０度の範囲の角度で構成される、請求項１、２、３または４記載の携帯型コンピュータ機器用スタンド。
【請求項６】
前記上側支持部材は、上面、および前記上面と反対の下面をさらに含み、前記上側支持部材の前記上面と前記下面は、前記上側支持部材の前記少なくとも３つの側縁と隣接し、前記上側支持部材の前記下面は、支持環に連結される、請求項１、２、３、４または５記載の携帯型コンピュータ機器用スタンド。
【請求項７】
前記上側後方支持部は、前記上側支持部材の前記少なくとも３つの側縁の少なくとも１つまたはそれ以上の縁に対して、約１００度〜約１１０度の範囲の角度で構成される、請求項１、２、３、４、５または６記載の携帯型コンピュータ機器用スタンド。
【請求項８】
前記台座および前記上側支持部材は、アルミニウムシート、スチールシート、ダイキャストアルミニウム、竹、木材製品、強化プラスチック、およびポリカーボネートのうちの少なくとも１つで構成される、請求項１、２、３、４、５、６または７記載の携帯型コンピュータ機器用スタンド。
【請求項９】
前記接続カラーは、ダイキャスト亜鉛、ダイキャストアルミニウム、ポリカーボネート、熱可塑性ポリウレタン、およびガラス系充填剤強化プラスチックのうちの少なくとも１つで構成される、請求項１、２、３、４、５、６、７または８記載の携帯型コンピュータ機器用スタンド。
【請求項１０】
前記上側支持部材は、携帯型コンピュータ機器を支持するように構成される、請求項１、２、３、４、５、６、７、８または９記載の携帯型コンピュータ機器用スタンド。
【請求項１１】
前記第１の折り返し縁は、前記台座の前記少なくとも３つの側縁とは別のものである、請求項１、２、３、４、５、６、７、８または９記載の携帯型コンピュータ機器用スタンド。
【請求項１２】
コンピュータ機器のためのコンピュータ機器用付属品において、
台座であって、
表面上に設置されるように構成された台座板、および
前記台座板に第１の角度で連結された台座後方支持部、
を備える、台座と、
上側支持部材であって、
上板、および
前記上板に第２の角度で連結された上側後方支持部、
を備える、上側支持部材と、
前記台座の前記台座後方支持部および前記上側支持部材の前記上側後方支持部に着脱可能に連結するように構成されたコネクタカラーと、
を備え、
前記上側支持部材は、前記台座板が前記表面上に載置され、前記台座の前記台座後方支持部および前記上側支持部材の前記上側後方支持部が前記コネクタカラーに連結されたときに前記コンピュータ機器が使用者によって操作されるように、前記コンピュータ機器を支持するように構成される、コンピュータ機器用付属品。
【請求項１３】
前記コネクタカラーは、
２つ以上の外側支持縁と、
少なくとも１つの内側固定縁と、
を備え、
前記２つ以上の外側支持縁および前記少なくとも１つの内側固定縁は、少なくとも１つのチャネルを形成し、前記少なくとも１つの内側固定縁は、前記少なくとも１つのチャネルの谷を形成し、前記２つ以上の外側支持縁は、前記少なくとも１つのチャネルの２つ以上の側面を形成する、請求項１２記載のコンピュータ機器用付属品。
【請求項１４】
前記上側後方支持部は、
２つ以上の上側支持縁と、
少なくとも１つの上側固定縁と、
を備え、
前記少なくとも１つの上側固定縁は、前記コネクタカラーが前記上側支持部材の前記上側後方支持部に連結されたときに、前記少なくとも１つのチャネルの内部に収まるように構成される、請求項１３記載のコンピュータ機器用付属品。
【請求項１５】
前記台座後方支持部は、
２つ以上の台座支持縁と、
少なくとも１つの台座固定縁と、
を備え、
前記少なくとも１つの台座固定縁は、前記コネクタカラーが前記台座の前記台座後方支持部に連結されたときに、前記少なくとも１つのチャネルの内部に収まるように構成される、請求項１３または１４記載のコンピュータ機器用付属品。
【請求項１６】
前記上側支持部材は、上板を前記上側後方支持部に蝶番式に連結する蝶番をさらに有し、それによって前記上側後方支持部が回転可能になり、その結果、前記上側後方支持部の一部を前記上板の上に位置付けることが可能になる、請求項１２、１３、１４または１５記載のコンピュータ機器用付属品。
【請求項１７】
前記台座は、台座板を前記台座後方支持部に蝶番式に連結する蝶番をさらに有し、それによって前記台座後方支持部が回転可能になり、その結果、前記台座後方支持部の一部を前記台座板の上に位置付けることが可能になる、請求項１２、１３、１４、１５または１６記載のコンピュータ機器用付属品。
【請求項１８】
前記第１の角度は約７０度〜約８０度の間であり、前記第２の角度は約１００度〜約１１０度の間である、請求項１２、１３、１４、１５、１６または１７記載のコンピュータ機器用付属品。
【請求項１９】
前記上板は開口部を有し、前記上板は、前記上部の前記上板が前記上板の前記開口部の中に前記台座の前記台座板を収めることによって台座板に連結可能になるように構成される、請求項１２、１３、１４、１５、１６、１７または１８記載のコンピュータ機器用付属品。
【請求項２０】
携帯型コンピュータ機器用スタンドを使用する方法において、前記携帯型コンピュータ機器用スタンドは、台座部分と、上側セクションと、コネクタカラーとを備え、前記方法は、
前記携帯型コンピュータ機器用スタンドの前記台座部分を平坦な表面上に設置する段階と、
前記携帯型コンピュータ機器用スタンドの前記コネクタカラーの第１の部分を、前記携帯型コンピュータ機器用スタンドの前記台座の一部と嵌合させる段階と、
前記携帯型コンピュータ機器用スタンドの前記上側支持部分の一部を、前記携帯型コンピュータ機器用スタンドの前記コネクタカラーの第２の部分と嵌合させる段階と、
モバイルコンピュータ機器を前記携帯型コンピュータ機器用スタンドの前記上側支持部分の上に設置する段階と、
から構成される方法。
【発明の詳細な説明】
【技術分野】
【０００１】
関連出願との相互参照
本願は、２００９年１０月１４日に出願された米国仮特許出願第６１／２５１，６２６号の優先権を主張し、同出願の内容を引用によって本願に援用する。
【０００２】
本発明は一般に、ラップトップコンピュータの位置決め用付属品に関し、より詳しくは、ラップトップコンピュータを空間的に使用者の操作面より上方に位置決めし、コンピュータのキーボードを使用者に向けて傾斜させるための折り畳み式置き台に関し、装置およびこれに関する方法を含む。
【背景技術】
【０００３】
パーソナルコンピュータ市場は、ここ数年で大きく変貌し、パーソナルコンピュータの使用者の大多数がモバイルコンピュータ機器（たとえば、ラップトップ／ネットブックコンピュータ機器）に乗り換えている。このようなモバイルコンピュータ機器への乗り換えにより、これらの機器のユーザエクスペリエンスを向上させるための新しい付属品が開発され、製造されてきた。
【発明の概要】
【発明が解決しようとする課題】
【０００４】
モバイルコンピュータ機器の改良の結果、モバイルコンピュータ機器は小型化している。モバイルコンピュータ機器の小型化に伴ういくつかの欠点の１つには、熱放散が含まれる。モバイルコンピュータ機器の筐体の厚さが薄くなるにつれて、熱はより多くの場所でモバイルコンピュータ機器の筐体の外部へと伝達される。したがって、携帯型コンピュータ機器の下面の外気への露出部分により、モバイルコンピュータ機器の全体的な熱性能が改善される可能性がある。
【０００５】
これに加えて、モバイルコンピュータ機器全体の大きさが小さくなると、ビューイングスクリーンとキーボードの位置が最適ではなくなるかもしれない。その結果、前述のように、作業机（またはこれに類する他の作業領域）に座った使用者がモバイルコンピュータ機器を操作しようとしたときに経験するユーザエクスペリエンスは、最適とは言えないかもしれない。また、モバイルコンピュータ機器がまさにその性質から移動式機器であるという事実によって、使用者は上記のような作業机から容易に移動できるモバイルコンピュータ機器用スタンドを評価するであろう。したがって、当業界においては、ユーザエクスペリエンスを向上させるようなモバイルコンピュータ機器用スタンドの開発が求められている。
【０００６】
本発明は、実施形態の例に関する以下の詳細な説明を、添付の図面と併せて読むことによってよりよく理解されるであろう。
【図面の簡単な説明】
【０００７】
【図１】本明細書に記載の主題による、モバイルコンピュータ機器を所定の高さに支持するための例示的システムのある実施形態を描いた正面等角投影図である。
【図２】本明細書に記載の主題による図１の例示的システムの別の実施形態を描いた正面図である。
【図３】本明細書に記載の主題による例示的システムの別の実施形態を描いた正面等角投影図である。
【図４】本明細書に記載の主題による図３の例示的システムのある実施形態を描いた正面図である。
【図５】本明細書に記載の主題による図１〜図４の例示的システムの台座部分のある実施形態を描いた、上から見た等角図である。
【図６】本明細書に記載の主題による図１〜図４の例示的システムの上側支持部分のある実施形態を描いた、上から見た等角図である。
【図７】本明細書に記載の主題による図１〜図４の例示的システムの上側支持部分の別の実施形態を描いた、裏返しの状態の等角図である。
【図８】本明細書に記載の主題による図１〜図４の例示的システムのコネクタカラー部分のある実施形態を描いた、右側面と正面を表す等角図である。
【図９】本明細書に記載の主題による図１〜図４の例示的システムのコネクタカラー部分の別の実施形態を描いた側面図である。
【図１０】本明細書に記載の主題による例示的システムのまた別の実施形態を示す背面等角投影図である。
【図１１】本明細書に記載の主題による例示的システムのある実施形態を示す正面図である。
【図１２】モバイル機器用スタンドを使用する方法のある実施形態のフローチャートである。
【発明を実施するための形態】
【０００８】
図による説明を簡略化、明確化するために、図面には一般的な構成方法を描いており、周知の特徴や技術の説明と詳細は、本発明を不必要に曖昧にすることのないように割愛している場合がある。これに加えて、図面中の要素は必ずしも正確な縮尺であるとは限らない。たとえば、図面中の要素のいくつかの寸法は、本発明の実施形態を理解しやすくするために、他の要素と比較して誇張されているかもしれない。複数の図面中の同じ参照番号は、同じ要素を指す。
【０００９】
明細書および特許請求の範囲の中に「第１の」、「第２の」、「第３の」、「第４の」等々の用語が使用されている場合、これらは同様の要素を区別するために使用されており、必ずしも特定の序列または時系列を説明しているとは限らない。当然のことながら、このように使用されているこれらの用語は、適当な状況下では互換可能であり、本明細書中で説明されている実施形態は、たとえば、図に描かれている、またはその他の方法により本明細書中で説明されているものとは異なる順序でも動作可能である。さらに、「含む、」、「有する」およびこれらの変化形はすべて、非排他的な包含を意味するものであり、列挙された複数の要素からなる工程、方法、システム、成形品、機器または装置は、必ずしもこれらの要素に限定されるとは限らず、明示的には列挙されていない、またはかかる工程、方法、システム、成形品、機器または装置に固有のその他の要素を含んでいるかもしれない。
【００１０】
本明細書および特許請求の範囲の中に「左」、「右」、「前」、「後」、「上」、「下」、「上方」、「下方」等の用語が使用されている場合、これらは説明のために使用されており、必ずしも永久的な相対位置を説明するためとは限らない。当然のことながら、このように使用されているこれらの用語は、適当な状況下では互換可能であり、本明細書中で説明されている実施形態は、たとえば、図に描かれている、またはその他の方法により本明細書中で説明されているものとは異なる方位でも動作可能である。
【００１１】
「連結する」という用語およびその変化形（“ｃｏｕｐｌｅ”，“ｃｏｕｐｌｅｄ”，“ｃｏｕｐｌｅｓ”，“ｃｏｕｐｌｉｎｇ”等）は、広い意味で理解されるべきであり、２つ以上の要素または信号を電気的、機械的またはその他の方法で接続することを意味する。２つ以上の電気的要素は、機械的またはその他の方法で連結されるのではなく、電気的に連結されてもよく、２つ以上の機械的要素は、電気的またはその他の方法で連結されるのではなく、機械的に連結されてもよく、２つ以上の電気的要素は、電気的またはその他の方法で連結されるのではなく、機械的に連結されてもよい。連結（機械的か、電気的かその他の方法かを問わない）は、時間的長さを問わず、たとえば、永久的または半永久的、あるいは一瞬のみであってもよい。
【００１２】
「電気的連結」等は、広い意味で理解されるべきであり、電源信号、データ信号および／またはその他の種類の、または組み合わせの電気信号のいずれかを問わず、あらゆる電気信号が関わる連結を含む。「機械的連結」等は、広い意味で理解されるべきであり、あらゆる種類の機械的連結を含む。「連結される」等の用語の付近に「着脱可能に」、「着脱可能な」等の用語がなくても、当該の連結その他が着脱可能である、またはそうでないことを意味していない。
【００１３】
いくつかの例において、携帯型コンピュータ機器用スタンドには、（ａ）台座であって、少なくとも３つの側縁と、少なくとも３つの側縁と対向し、台座から外に向かって延びる第１の折り返し縁を有し、第１の折り返し縁が台座後方支持部を画定し、台座後方支持部が台座後方支持部から除去された第１の切欠き部分を有し、第１の折り返し縁が２つ以上の台座支持縁部分と台座固定縁部分を有し、台座固定縁部分が台座後方支持部の第１の切欠き部分により画定される台座と、（ｂ）上側支持部材であって、少なくとも３つの側縁と、少なくとも３つの側縁と対向し、上側支持部材から外側に延びる第２の折り返し縁を有し、第２の折り返し縁が上側後方支持部を画定し、上側後方支持部が上側後方支持部から除去された第２の切欠き部分を有し、第２の折り返し縁が２つ以上の上側支持縁部分と上側固定縁部分を有し、上側固定縁部分が上側後方支持部の第２の切欠き部分によって画定される上側支持部材と、（ｃ）上部と下部を有する接続カラーであって、接続カラーの上部が台座の第１の切欠き部分に連結されるように構成され、接続カラーの下部が上側支持部材の第２の切欠き部分に連結されるように構成され、接続カラーが接続カラーの円周を画定する外側先端縁を有するように構成され、外側先端縁が、台座後方支持部の台座固定縁と上側後方支持部の上側固定縁と当接するように構成された内側固定縁部分を有し、外側先端縁がさらに、内側固定縁部分から延び、第１の折り返し縁の一部と第２の折り返し縁の一部の周囲に位置付けられるように構成された２つ以上の外部支持縁部分を有する接続カラーと、を含めることができる。いくつかの例において、第１の折り返し縁は、台座の少なくとも３つの側縁の１つとすることができる。他の例においては、第１の折り返し縁は台座の少なくとも３つの側縁とは別である。
【００１４】
いくつかの例において、上側支持部材には、略平坦な環を含めることができる。略平坦な環は、略平坦な環の中央部から除去された環切欠き部分を有するようにすることができる。略平坦な環は、長方形とすることができる。
【００１５】
台座には、上記に加えて、上面と、上面と反対の下面を含めることができる。台座の上面と下面は、台座の少なくとも３つの側縁と隣接させることができる。台座の下面は、２つ以上の支持パッドに連結することができる。各種の実施形態において、台座後方支持部は、台座の少なくとも３つの側縁の１つまたはそれ以上の縁に対して、約７０度〜約８０度の範囲の角度をつけて構成することができる。
【００１６】
上記と同じまたは異なる実施形態において、上側支持部材には、上記に加えて、上面と、上面と反対の下面を含めることができる。上側支持部材の上面と下面は、上側支持部材の少なくとも３つの側縁に隣接させることができる。上側支持部材の下面は、支持環に連結することができる。上側後方支持部は、上側支持部材の少なくとも３つの側縁の１つまたはそれ以上の縁に対して、約１００度〜約１１０度の範囲の角度をつけて構成することができる。
【００１７】
多くの例において、台座と上側支持部材は、アルミニウムシート、スチールシート、ダイキャストアルミニウム、竹、木材製品、強化プラスチックまたはポリカーボネートのうちの少なくとも１つで構成できる。接続カラーは、ダイキャスト亜鉛、ダイキャストアルミニウム、ポリカーボネート、熱可塑性ポリウレタン、またはガラス系充填剤強化プラスチックのうちの少なくとも１つで構成できる。
【００１８】
いくつかの実施形態は、コンピュータ機器のためのコンピュータ機器用付属品を教示する。このコンピュータ機器用付属品には、（ａ）台座であって、（１）表面上に載るように構成された台座板と、（２）台座板に第１の角度で連結された台座後方支持部を有する台座と、（ｂ）上側支持部材であって、（１）上板と、（２）上板に第２の角度で連結された上側後方支持部を有する上側支持部材と、（ｃ）台座の台座後方支持部と上側支持部材の上側後方支持部に着脱可能に連結されるように構成されたコネクタカラーと、を含めることができる。上側支持部材は、台座板が表面上に載置され、台座の台座後方支持部と上側支持部材の上側後方支持部がコネクタカラーに連結されたときにコンピュータ機器が使用者によって操作されるように、コンピュータ機器を支持するように構成することができる。
【００１９】
他の実施形態は、携帯型コンピュータ機器用スタンドを使用する方法を教示する。携帯型コンピュータ機器用スタンドには、台座、上側セクションおよびコネクタカラーを含めることができる。この方法には、（ａ）携帯型コンピュータ機器用スタンドの台座部分を平坦な表面上に設置するステップと、（ｂ）携帯型コンピュータ機器用スタンドのコネクタカラーの第１の部分を、携帯型コンピュータ機器用スタンドの台座の一部と嵌合させるステップと、（ｃ）携帯型コンピュータ機器用スタンドの上側支持部分の一部を、携帯型コンピュータ機器用スタンドのコネクタカラーの第２の部分と嵌合させるステップと、（ｄ）モバイルコンピュータ機器を携帯型コンピュータ機器用スタンドの上側支持部分の上に設置するステップと、を含めることができる。
【００２０】
図１は、モバイルコンピュータ機器１０５を所定の高さに支持するための例示的システム１００のある実施形態を示描いた正面等角投影図である。システム１００は単なる例であり、本明細書で提案する実施形態に限定されない。システム１００は、具体的に描かれていない、または本明細書中で説明されていない、多くの異なる実施形態または例において利用可能である。
【００２１】
図１において、システム１００には組立式スタンド１１０とモバイルコンピュータ機器１０５が含まれる。いくつかの例において、コンピュータ機器１０５は、ラップトップコンピュータ機器、ノートブックコンピュータ機器、タブレットコンピュータ機器および／またはその他とすることができる。図１に描かれている実施形態において、組立式スタンド１１０は、（ａ）台座１２０と、（ｂ）上側支持部材１３０と、（ｃ）コネクタカラー１４０と、を含む。動作時に、組立式スタンド１１０は、台座１２０を支持面（すなわち、机の上）に設置し、コネクタカラー１４０を台座１２０の一部に機械的に連結し、上側支持部材１３０の一部をコネクタカラー１４０の別の部分に機械的に連結することによってモバイルコンピュータ機器１０５を支持するように構成される。組立式スタンド１１０を組み立てた後に、コンピュータ機器１０５を上側支持部材１３０に設置することができる。
【００２２】
図２は、モバイルコンピュータ機器を支持するための例示的システム２００のある実施形態を描いた正面図である。図２において、システム２００は組立式スタンド１１０とモバイルコンピュータ機器１０５を含む。図２に描かれている実施形態において、組立式スタンド１１０は、台座１２０と、上側支持部材１３０と、コネクタカラー１４０と、を含む。上記の図１の要素と略同様の番号が付与された要素は、略同様に機能する。台座１２０は、図５と図６に関してさらに詳細に説明し、上側支持部材１３０は、図７に関してさらに詳細に説明し、コネクタカラー１４０は、図８と図９に関してさらに詳細に説明する。
【００２３】
図３は、モバイルコンピュータ機器（図示せず）を支持するための例示的システム３００のある実施形態を示す正面等角投影図である。いくつかの実施形態において、システム３００は、モバイルコンピュータ機器（図示せず）を特定の高さに支持するように構成された組立式スタンド１１０を含む。図３に描かれている実施形態において、組立式スタンド１１０は、台座１２０と、上側支持部材１３０と、コネクタカラー１４０と、を含む。他の実施形態において、上側支持部材１３０は上記に加えて、支持環３３５を含む。支持環３３５は、あらゆる好適な材料で製作でき、たとえば成形または打ち抜きプラスチック（たとえば、ポリカーボネート等）、ゴム、鋳造金属（たとえば、ダイキャスト亜鉛）、ダイキャストアルミニウム等、または同様のその他のあらゆる好適な材料がある。上記の図１と図２の要素と略同じ番号が付与された要素は、略同様に機能する。組立式スタンド１１０は、さまざまな高さのほか、さまざまな材料厚さで製作できる。いくつかの実施形態において、組立式スタンド１１０は、台座１２０の底部から上側支持部材１３０のうちコネクタカラー１４０に最も近い最高部分までの高さが１２４ｍｍ（ミリメートル）である。他の実施形態において、台座１２０、上側支持部１３０およびコネクタカラー１４０の各々は、材料厚さが５ｍｍとなるように製作される。他の実施形態において、組立式スタンド１１０は、高さ調節可能であるように構成することができる。
【００２４】
図４は、モバイルコンピュータ機器（図示せず）を支持するための例示的システム４００のある実施形態を示す正面図である。図４において、組立用スタンド１１０の台座１２０は上記に加えて、１つまたはそれ以上の支持パッド４２５を含む。支持パッド４２５は、あらゆる好適な材料で製作でき、たとえば成形または打ち抜きプラスチック（たとえば、ポリカーボネート等）、熱可塑性ポリウレタン（ＴＰＵ）、シリコンまたはゴム、鋳造金属（たとえば、ダイキャスト亜鉛、ダイキャストアルミニウム等）または同様のその他のあらゆる好適な材料がある。上記の図１〜図３の要素と略同じ番号が付与された要素は、略同様に機能する。いくつかの例において、支持パッドは台座１２０の上に、組立式スタンド１１０が支持面の上に載置されているときに、支持パッド４２５が支持面（すなわち、机の上）に載るように配置することができる。支持パッド４２５は、コンピュータ機器用スタンドを支持面の上方のより高い位置に上昇させるように構成することができる
【００２５】
図５は、台座部分５００のある実施形態を描いた、上から見た等角図である。台座部分５００は単なる例であり、本明細書で提案する実施形態に限定されない。台座部分５００は、具体的に描かれていない、または本明細書中で説明されていない、多くの異なる実施形態または例において利用可能である。
【００２６】
図５に描かれている実施形態において、台座１２０は組立式スタンド１１０（上記図１〜図４で説明）の一部である。台座１２０には、（ａ）台座板５２０と、（ｂ）台座後方支持部５２１と、を含めることができる。これらの実施形態において、台座後方支持部５２１には、（ａ）２つ以上の台座支持縁５２２と、（ｂ）少なくとも１つの台座固定縁５２３を含めることができる。台座支持縁５２２と台座固定縁５２３は、台座後方支持部５２１の、台座板５２０と反対の先端縁に沿って形成することができる。
【００２７】
各種の実施形態において、台座後方支持部５２１は、台座板５２０の上方に角度のついたフランジとして構成することができる。たとえば、台座後方支持部５２１は、約７０度〜約８０の間の角度、たとえば７４度で上方に傾斜したフランジとして構成される。台座支持縁５２２は相互から離間させることができ、それによってコネクタカラー１４０の一部をそれらの間で台座固定縁５２３に連結できる。たとえば、台座後方支持部５２１は、Ｕ字形とすることができる。他の例では、台座後方支持部５２１は、他の形状とすることができる。
【００２８】
台座後方支持部５２１は、コネクタカラー１４０と上側支持部材１３０に連結されるように構成することができる。たとえば、台座後方支持部５２１は、台座固定縁５２３を接続カラー１４０と嵌合させながら、台座支持縁５２２を上側支持部材１３０の、それぞれに関連する上側支持縁と嵌合させることができるように構成することができる。これらの実施形態において、台座後方支持部５２１はフランジとして形成され、このフランジは上方に傾斜しており、また、台座支持縁５２２に沿って、これから切除され、これと物理的に連絡して、コネクタカラー１４０の下部と嵌合できるように形成された（図８と図９に関して後述）台座固定縁５２３を有する。
【００２９】
他の例において、台座支持縁５２２には、上側支持部材１３０の上の相補的な連結機構に連結して、台座１２０を上側支持部材１３０に固定できるような連結機構（スナップ、接着剤、ピン、ベルクロ（登録商標）、突起、溝、その他）を含めることができる。同様に、台座固定縁５２３には、コネクタカラー１４０の上の相補的な連結機構に連結できる連結機構を含めることができる。
【００３０】
多くの実施形態において、台座後方支持部５２１は、台座板５２０と一体に形成される。たとえば、台座後方支持部５２１は、台座板５２０と同じ部品または同じ種類の材料で形成される。台座１２０は、さまざまな長さと幅を有するよう製作できる。いくつかの実施形態において、台座１２０は、台座１２０の前部から台座１２０の、コネクタカラー１４０に最も近い後部までの長さが１９０ｍｍである。
【００３１】
いくつかの実施形態において、台座板５２０と台座後方支持部５２１は、いくつの金属シートまたは鋳造金属でも製作でき、これにはアルミニウムシート、スチールシート、ダイキャストアルミニウム等がある。他の実施形態において、台座板５２０と台座後方支持部５２１は、竹、合板等の木材製品、ガラス系充填剤強化ナイロン等の強化プラスチック、ポリカーボネート等で製作できる。
【００３２】
他の実施形態において、台座後方支持部５２１は、台座板５２０と一体に形成されない。いくつかの実施形態において、台座後方支持部５２１は、台座板５２０とは異なる部品または異なる種類の材料から形成できる。これらの実施形態において、台座後方支持部５２１は、１つまたはそれ以上の方法によって台座１２０に固定することができる。たとえば、台座後方支持部５２１は、台座板５２０に直接または間接に溶接することができる。台座後方支持部５２１はまた、化合物（たとえば、２成分エポキシ）を使って台座板５２０に直接または間接に固定することができる。さらに別の例において、蝶番型機構等を使って台座板５２０と台座後方支持部５２１を付着させることができる。各種の例において、台座後方支持部５２１は台座板５２０に着脱可能に連結することができる。
【００３３】
図６は、上側支持部分６００のある実施形態を描いた、上から見た等角図である。図７は、上側支持部分６００の別の実施形態を描いた、裏返しの状態の等角図である。上側支持部分６００は単なる例であり、本明細書で提案される実施形態に限定されない。上側支持部分６００は、具体的に描かれていない、または本明細書中で説明されていない、多くの異なる実施形態または例において利用可能である。
【００３４】
図６と図７に描かれている実施形態において、上側支持部材１３０は、組立式スタンド１１０（図１〜図４で上述）の一部として構成される。上側支持部材１３０には、（ａ）上板６３０と、（ｂ）上側後方支持部６３１を含めることができる。上側後方支持部６３１には、（ａ）２つ以上の上側支持縁６３２と、（ｂ）上側後方支持部６３１の、上板６３０と反対の先端縁に沿って形成される少なくとも１つの上側固定縁６３３と、含めることができる。
【００３５】
多くの例において、上板６３０には少なくとも１つの開口部６３９を含めることができる。コンピュータ機器が上側支持部材１３０の上に設置されると、開口部６３９によってコンピュータ機器の下面の一部が外気に露出され、その結果、コンピュータ機器の全体的な熱性能が改善されるかもしれない。いくつかの例において、開口部６３９は、組立式スタンド１１０を分解したときに、台座板５２０を開口部６３９の中に収めることができるような大きさと形状とすることができる。いくつかの例において、開口部６３９は、台座板５２０が開口部６３９の内部にぴったりと嵌るような大きさと形状である。
【００３６】
上記と同じまたは異なる例において、開口部６３９はさまざまな形状と大きさとすることができる。他の実施形態において、上板には、開口部６３９に加えて、またはその代わりに、冷却ファンおよび／またはその他の冷却機構を含めることができる。これに加えて、いくつかの例において、上側支持部材１３０にはまた、支持環３３５（図３）を含めることができる。支持環３３５は、コンピュータ機器を上板６３０の上面の上方のより高い位置に上昇させるように構成される。
【００３７】
各種の実施形態において、上側後方支持部６３１は、上板６３０の下側に傾斜したフランジとして構成することができる。たとえば、上側後方支持部６３１は、約１００度〜約１１０度の間の角度、たとえば１０５度で下側に傾斜したフランジとして形成される。上側支持縁６３２は相互に離間させることができ、それによってコネクタカラー１４０の一部をそれらの間で上側固定縁６３３に連結することができる。たとえば、上側後方支持部６３１は、Ｕ字形とすることができる。他の例において、上側後方支持部６３１は、他の形状とすることができる。
【００３８】
上側後方支持部６３１は、コネクタカラー１４０と上板６３０に連結するように構成することができる。たとえば、上側後方支持部６３１は、上側固定縁６３３をコネクタカラー１４０に嵌合させながら、上側支持縁６３２をそれぞれに関連する台座固定縁５２３に嵌合させることができるように構成できる。これらの実施形態において、上側後方支持部６３１はフランジとして形成され、このフランジは、下方に傾斜しており、また、上側支持縁６３２に沿って、これから切除され、これと物理的に連絡し、コネクタカラー１４０の上部と嵌合できるように形成された（図８と図９に関して後述）上側固定縁６３３を有する。
【００３９】
他の例において、上側支持縁６３２には、台座１２０の相補的な連結機構に連結して、上部支持部材１３０を台座１２０に固定できる連結機構（スナップ、接着剤、ピン、ベルクロ（登録商標）材料、突起、溝、その他）を含めることができる。同様に、上側固定縁６３３には、コネクタカラー１４０の相補的な連結機構に連結できる連結機構を含めることができる。
【００４０】
多くの実施形態において、上側後方支持部６３１は上板６３０と一体に形成される。たとえば、上側後方支持部６３１は、上板６３０と同じ部品または同じ種類の材料で形成される。上側支持部材１３０は、さまざまな長さと幅を有するよう製作できる。いくつかの実施形態において、上側支持部材１３０は、上側支持部材１３０の前部から上側支持部材１３０の、コネクタカラー１４０に最も近い後部までの長さが２６８ｍｍである。いくつかの例において、上側支持縁６３２と上側固定縁６３３の厚さは、台座支持縁５２２と台座固定縁５２３の厚さと略同じ、または同じとすることができる。
【００４１】
いくつかの実施形態において、上板６３０と上側後方支持部６３１は、いくつの金属シートまたは鋳造金属でも製作でき、これにはアルミニウムシート、スチールシート、ダイキャストアルミニウム等がある。他の実施形態において、上板６３０と上側後方支持部６３１は、竹、合板等の木材製品、ガラス系充填剤強化ナイロン等の強化プラスチック、ポリカーボネート等で製作できる。
【００４２】
他の実施形態において、上側後方支持部６３１は、上板６３０と一体に形成されない。いくつかの実施形態において、上側後方支持部６３１は、上板６３０とは異なる部品または異なる種類の材料から形成できる。これらの実施形態において、上側後方支持部６３１は、１つまたはそれ以上の方法によって上側支持部材１３０に固定することができる。たとえば、上側後方支持部６３１は、上板６３０に直接または間接に溶接することができる。上側後方支持部６３１はまた、化合物（たとえば、２成分エポキシ）を使って上板６３０に直接または間接に固定することができる。さらに別の例において、蝶番型機構等を使って上板６３０と上側後方支持部６３１を付着させることができる。各種の例において、上側後方支持部６３１は上板６３０に着脱可能に連結することができる。
【００４３】
図８は、コネクタカラー部分８００のある実施形態を描いた、右側面と正面を表す等角図である。図９は、コネクタカラー部分８００の他の実施形態を描いた側面図である。コネクタカラー部分８００は単なる例であり、本明細書で提案される実施形態に限定されない。コネクタカラー部分８００は、具体的に描かれていない、または本明細書中で説明されていない、多くの異なる実施形態または例において利用可能である。
【００４４】
図８と図９に描かれている実施形態において、コネクタカラー１４０は、組立式スタンド１１０（図１〜図４について上述）の一部として構成される。コネクタカラー１４０には、（ａ）２つ以上の外側支持縁８４２と、（ｂ）少なくとも１つの内側固定縁８４３と、を含めることができる。いくつかの例において、コネクタカラーにはまた、コネクタカラー１４０の内部に開口部６４９を含めることもできる。他の例において、コネクタカラー１４０には開口部６４９がない。いくつかの例において、コネクタカラー１４０はＯ字形とすることができる。他の例において、コネクタカラー１４０は他の形状とすることができる。
【００４５】
外側支持縁８４２と内側固定縁８４３は、少なくとも１つのチャネルを形成することができる。外側支持縁８４２と内側固定縁８４３は、少なくとも１つのチャネルを形成し、内側固定縁８４３がその少なくとも１つのチャネルの谷を形成し、外側支持縁８４３がその少なくとも１つのチャネルの２つ以上の側面を形成する。いくつかの例において、外側支持縁８４２は、コネクタカラー１４０の先端縁に沿って、外側支持縁８４２の各々の間の材料をくり抜いて、内側固定縁８４３を画定するチャネルを形成することによって形成できる。いくつかの例において、内側支持縁の幅は、台座固定縁５２３（図５）と上側固定縁６３３（図６と図７）の厚さより大きくすることができる。いくつかの例において、コネクタカラー１４０は、台座固定縁５２３と上側固定縁６３３が、外側支持縁８４２と内側固定縁８４３により形成されたチャネルの中にぴったりと適合するように構成される。
【００４６】
いくつかの実施形態において、コネクタカラー１４０は、鋳造金属または成形プラスチックまたは、あらゆる類似のその他の好適な材料で製作できる。鋳造金属の例にとしては、ダイキャスト亜鉛、ダイキャストアルミニウム等がある。成形プラスチックの例としては、ポリカーボネートと、ガラス系充填剤強化ナイロンまたはポリカーボネートプラスチック等のガラス系充填剤強化プラスチックがある。
【００４７】
いくつかの実施形態において、コネクタカラー１４０の上部は、内側固定縁８４３の上部が上側支持部材１３０の、それに関連する上側固定縁６３３（図６と図７）と嵌合するように構成される。コネクタカラー１４０の下部は、内側固定縁８４３の下部が、それに関連する台座板５２０の、それに関連する台座固定縁５２３（図５）と嵌合できるように構成できる。これらの実施形態において、外側支持縁８４２は、上側後方支持部６３１（図６と図７）と台座後方支持部５２１（図５）の関連部分を包囲するように構成される。
【００４８】
図５〜図９に関して、動作時には、コネクタカラー１４０の上部の内側固定縁８４３が上部固定エッジ６３３に当たって着座し、外側支持縁８４２が上側後方支持部６３１の、それに関連する縁の周囲に位置付けられる。同様に、コネクタカラー１４０の下部の内側固定縁８４３は台座固定縁５２３に当たって着座し、外側支持縁８４２は台座後方支持部５２１の、それに関連する縁の周囲に位置付けられる。
【００４９】
図１０は、モバイルコンピュータ機器（図示せず）を支持するための例示的システム１０００のある実施形態を描いた背面等角投影図である。図１０は、その構成部品（すなわち、台座１２０、上側支持部材１３０およびコネクタカラー１４０）からシステム１０００を組み立てる方法の一部を詳細に示している。図１０に描かれているように、台座１２０の台座板５２０が表面上に設置され、コネクタカラー１４０の下部の内側固定縁８４３が台座固定縁５２３と当たって着座し、それと同時に外側支持縁８４２が台座後方支持部５２１の、それに関連する内側縁の周囲に位置付けられる。いくつかの実施形態において、上側支持部材１３０の上側固定縁６３３が次に、コネクタカラー１４０の上部の内側固定縁８４３と嵌合し、これによって、外側支持縁８４２が上側後方支持部６３１の、これに関連する内側縁の周囲に位置付けられる。この実施形態において、上側支持部材１３０の上側固定縁６３３がコネクタカラー１４０の上部の内側固定縁８４３と嵌合し、着座すると、上側支持縁６３２はこれに関連する台座支持縁５２２と嵌合して、上側支持部材１３０とこれに関連するモバイル機器（図示せず）を上側支持部材１３０の上板６３０の支持環３３５の上に設置するための支持手段となる。
【００５０】
さらに、組立式スタンド１１０を分解すると、組立スタンド１１０はコンピュータ機器とともに容易に運搬することができる。すなわち、組立式スタンド１１０は、小型の持ち運び用の形態となるように構成される。上板６３０は、上板６３０が台座板５２０を開口部６３９の中に収めることによって台座板５２０に連結できるように構成される。いくつかの例において、組立式スタンド１１０を分解すると、台座板５２０を開口部６３９の中に収めることができ、台座後方支持部５２１と上側後方支持部６３１は相互に接触し、または近接して、小型の持ち運び用の形態を形成することができる。すなわち、組立式スタンド１１０は比較的平坦であり、容易にバッグの中に収納して、コンピュータ機器と一緒に持ち運べる。コンピュータ機器用の従来のスタンドには、このような運搬性がない。
【００５１】
図１１は、本明細書に記載の主題による例示的システムのある実施形態を描いた正面図である。組立式スタンド１１１０は単なる例であり、本明細書で提案される実施形態に限定されない。組立式スタンド１１１０は、具体的に描かれていない、または本明細書中で説明されていない、多くの異なる実施形態または例において利用可能である。
【００５２】
図１１に描かれている実施形態において、組立式スタンド１１１０は、（ａ）台座１１２０と、（ｂ）上側支持部材１１３０と、（ｃ）コネクタカラー１４０と、を含む。動作時には、組立式スタンド１１１０は、モバイルコンピュータ機器（図示せず）を、台座１１２０を支持面（すなわち、机の上）に設置し、コネクタカラー１４０を台座１１２０の一部に機械的に連結し、上側支持部材１１３０の一部をコネクタカラー１４０の別の部分に機械的に連結することによって支持するように構成される。組立式スタンド１１１０を組み立てた後に、コンピュータ機器を上側支持部材１１３０の上に設置することができる。
【００５３】
台座１１２０には、（ａ）台座板５２０と、（ｂ）台座後方支持部１１２１と、（ｃ）台座板５２０と台座後方支持部１１２１を蝶番式に連結する蝶番１１２６と、を含めることができる。上側支持部材１１３０には、（ａ）上板６３０と、（ｂ）上側後方支持部１１３１と、（ｃ）上板６３０を上側後方支持部１１３１に連結する蝶番１１３６と、を含めることができる。
【００５４】
いくつかの例において、蝶番１１２６と１１３６は、組立式スタンド１１１０がコンピュータ機器の支持に使用されている間、所定の位置にロックすることができる。いくつかの例において、組立式スタンド１１１０を分解したとき、蝶番１１２６を使って台座後方支持部１１２１を回転させることができ、それによって後方支持部１１２１の少なくとも一部を台座板５２０の上に、またはこれと略平行に位置付けることができる。同様に、組立式スタンド１１１０を分解したとき、蝶番１１３６を使って上側後方支持部１１３１を回転させることができ、それによって上側後方支持部１１３１の少なくとも一部を上板６３０の上に、またはこれと略平行に位置付けることができる。したがって、組立式スタンド１１１０は容易に持ち運べる。すなわち、台座１１２０と上側支持部材は比較的平坦であり、容易にバッグに収納して、コンピュータ機器と一緒に持ち運べる。コンピュータ機器用の従来のスタンドには、このような運搬性がない。
【００５５】
図１２は、モバイル機器用スタンドを使用する方法１２００のある実施形態のフローチャートである。方法１２００は単なる例であり、本明細書で提案される実施形態に限定されない。方法１２００は、具体的に描かれていない、または本明細書中で説明されていない、多くの異なる実施形態または例において利用可能である。いくつかの実施形態において、方法１２００の動作、手順および／または工程は、提案されている順序で実行することができる。別の実施形態において、方法１２００の動作、手順および／または工程は、その他のあらゆる好適な順序で実行できる。また別の実施形態において、方法１２００の動作、手順および／または工程は、組み合わせたり、省略したりすることができる。いくつかの実施形態において、方法１２００は、上記の図１〜図１０の構成要素を用いて実現される。
【００５６】
図１２の方法１２００は動作１２１０から始まり、ここでは組立式スタンドの台座部分が適当な表面の上に設置される。いくつかの実施形態において、使用者は組立式スタンドの台座部分を平面、たとえば机、テーブル、飛行機の座席テーブル等の表面に設置する。たとえば、使用者は図１〜図５および図１０の組立式スタンド１１０の台座１２０を表面上に設置することができる。
【００５７】
図１２の方法１２００は行動１２２０に続き、ここでは使用者がコネクタカラーの一部を組立式スタンドの台座の一部に嵌合させる。いくつかの実施形態において、使用者はコネクタカラーの下部を台座の台座固定縁部分に嵌合させる。これらの実施形態において、コネクタカラーの下部を組立式スタンドの台座の一部の台座固定縁に嵌合させることによって、コネクタカラーの下部の内側固定縁を台座固定縁に当てて着座させることができ、さらに、コネクタカラーの下部の外側支持縁を台座後方支持部の、これに関連する縁の周囲に位置付けることができる。たとえば、図１〜図４および図１０に示されるように、コネクタカラー１４０の下部を組立式スタンド１１０の台座１２０の台座固定縁５２３に嵌合させることによって、コネクタカラー１４０の下部の内側固定縁８４３を台座固定縁５２３に当てて着座させることができ、さらに、コネクタカラー１４０の下部の外側支持縁８４２を台座後方支持部５２１の、これに関連する縁の周囲に位置付けることができる。
【００５８】
続いて、図１２の方法１２００は行動１２３０を含み、ここでは使用者が組立式スタンドの上側支持部の一部を組立式スタンドのコネクタカラーの一部に嵌合させる。いくつかの実施形態において、使用者は、上側支持部材の上側固定縁部分をコネクタカラーの上部に嵌合させる。これらの実施形態において、上側支持部材の上側固定縁部分をコネクタカラーの上部に嵌合させることによって、コネクタカラーの上部の内側固定縁を上側支持部材の上側固定縁に当てて着座させることができ、さらに、コネクタカラーの上部の外側支持縁を上側後方支持部の、これに関連する縁の周囲に位置付けることができる。これらの実施形態のほかに、上側支持部材の上側固定縁部分をコネクタカラーの上部に嵌合させることによって、上側支持部材の上側支持縁を、これに関連する台座支持縁に嵌合させることができ、上側支持部材と、上側支持部材の支持環部分の上に設置されることになる、これに関連するモバイル機器を支持する手段となる。
【００５９】
たとえば、図１〜図４および図１０に関して、組立式スタンド１１０の上側支持部材１３０の上側固定縁部分を組立式スタンド１１０のコネクタカラー１４０の上部に嵌合させることによって、コネクタカラー１４０の上部の内側固定縁８４３を上側支持部材１３０の上側固定縁６３３に当てて着座させることができ、さらに、コネクタカラー１４０の上部の外側支持縁８４２を上側後方支持部６３１の、これに関連する縁の周囲に位置付けることができる。これらの実施形態のほかに、上側支持部材１３０の上側固定縁部分をコネクタカラー１４０の上部に嵌合させることによって、上側支持部材１３０の上側支持縁６３２を、これに関連する台座支持縁５２２と嵌合させることができ、上側支持部材１３０と、上側支持部材１３０の支持環３３５の上に設置されることになる、これに関連するモバイル機器を支持する手段となる。
【００６０】
次に、図１２の方法１２００は行動１２４０を含み、ここでは使用者がモバイル機器を組立式スタンドの上側支持部分の上に設置する。１つの例において、上記図１〜図３に関して、使用者はモバイルコンピュータ機器１０５を組立式スタンド１１０の上側支持部材１３０の上に設置する。
【００６１】
本明細書に記載の主題の態様を、具体的な実施形態に関して説明したが、当業者にとっては当然のことながら、本明細書に記載の主題の範囲から逸脱することなく、さまざまな変更を加えることができる。したがって、実施形態の開示は、本明細書に記載の主題の範囲を説明するためのものであり、限定するものではない。本明細書に記載の主題の範囲は、付属の特許請求の範囲によって要求される範囲にのみ限定されることが意図されている。当業者であれば、本明細書において論じられている機器と方法はさまざまな実施で実施してもよく、これらの実施形態のうちの特定のものに関する上記の説明は、必ずしも考えうるすべての実施形態の完全な説明であるとはかぎらないことを容易に理解するであろう。むしろ、図面の詳細な説明および図面そのものは少なくとも１つの好ましい実施形態を開示しており、他の実施形態を開示してもよい。
【００６２】
特定の請求項で請求されているすべての要素は、その特定の請求項で請求されている実施形態に不可欠である。したがって、請求されている１つまたはそれ以上の要素を交換することは改造にあたり、修理ではない。さらに、利益、その他の利点および課題解決法は、特定の実施形態に関して説明されている。しかしながら、これらの利益、利点、課題解決法および、何らかの利益、利点または解決法が生み出す、またはより顕著とする可能性のある要素（複数の場合もある）は、そのような利益、利点、解決法または要素がその請求項に明記されていないかぎり、請求項のいずれかまたは全部の重要、必要または不可欠な特徴または要素として解釈されるべきではない。
【００６３】
さらに、本明細書において開示されている実施形態と限定は、その実施形態および／または限定が、（１）特許請求の範囲で明確に請求されていない場合、および（２）均等論の下で特許請求の範囲の中の明確な要素および／または限定の均等物である、またはその可能性がある場合、権利開放論に基づいて一般に開放されない。
【図１２】
2013508819.tif 000003
【図１】
2013508819.tif 000004
【図２】
2013508819.tif 000005
【図３】
2013508819.tif 000006
【図４】
2013508819.tif 000007
【図５】
2013508819.tif 000008
【図６】
2013508819.tif 000009
【図７】
2013508819.tif 000010
【図８】
2013508819.tif 000011
【図９】
2013508819.tif 000012
【図１０】
2013508819.tif 000013
【図１１】
2013508819.tif 000014
【国際調査報告】
2013508819.tif 000015
2013508819.tif 000016